【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
所定方向における一方の端部から他方の端部へ信号を伝送する第１結合器と、
前記所定方向における長さが前記第１結合器よりも短い第２結合器と、
前記第１結合器と前記第２結合器との間での電磁界結合による無線通信を制御する通信制御手段と、
前記第１結合器に対する前記第２結合器の前記所定方向における位置が変化するように、前記第１結合器と前記第２結合器との少なくとも何れかを移動させる移動制御手段とを有し、
前記所定方向と垂直な方向の視点において前記第１結合器と前記第２結合器とが重なる部分と前記第１結合器の前記一方の端部との距離が第１距離である場合における前記第１結合器と前記第２結合器との結合度が、前記垂直な方向の視点において前記第１結合器と前記第２結合器とが重なる部分と前記第１結合器の前記一方の端部との距離が前記第１距離より短い第２距離である場合における前記第１結合器と前記第２結合器との結合度よりも大きいことを特徴とする通信システム。
【請求項２】
前記垂直な方向の視点において前記第１結合器と前記第２結合器とが重なる部分と前記第１結合器の前記一方の端部との距離が前記第１距離である場合における前記第１結合器と前記第２結合器との間隔が、前記垂直な方向の視点において前記第１結合器と前記第２結合器とが重なる部分と前記第１結合器の前記一方の端部との距離が前記第２距離である場合における前記第１結合器と前記第２結合器との間隔よりも短いことを特徴とする請求項１に記載の通信システム。
【請求項３】
前記垂直な方向の視点において前記第１結合器と前記第２結合器とが重なる部分と前記第１結合器の前記一方の端部との距離が前記第１距離である場合における当該重なる部分の面積が、前記垂直な方向の視点において前記第１結合器と前記第２結合器とが重なる部分と前記第１結合器の前記一方の端部との距離が前記第２距離である場合における当該重なる部分の面積よりも大きいことを特徴とする請求項１又は２に記載の通信システム。
【請求項４】
前記第１結合器の前記他方の端部における幅は、前記第１結合器の前記一方の端部における幅より大きいことを特徴とする請求項１乃至３の何れか１項に記載の通信システム。
【請求項５】
前記第１結合器は、前記所定方向に並ぶ第１基板及び第２基板に設置され、
前記第１基板は、前記第２基板よりも、前記所定方向において前記第１結合器の前記一方の端部から遠く、
前記第１基板の誘電率は、前記第２基板の誘電率よりも低いことを特徴とする請求項１乃至４の何れか１項に記載の通信システム。
【請求項６】
所定方向における一方の端部から他方の端部へ信号を伝送する第１結合器と、
前記所定方向における長さが前記第１結合器よりも短い第２結合器と、
前記第１結合器と前記第２結合器との間での電磁界結合による無線通信を制御する通信制御手段と、
前記第１結合器に対する前記第２結合器の前記所定方向における位置が変化するように、前記第１結合器と前記第２結合器との少なくとも何れかを移動させる移動制御手段とを有し、
前記所定方向と垂直な方向の視点において前記第１結合器と前記第２結合器とが重なる部分と前記第１結合器の前記一方の端部との距離が第１距離である場合において前記通信制御手段により前記第１結合器に入力される信号の振幅が、前記垂直な方向の視点において前記第１結合器と前記第２結合器とが重なる部分と前記第１結合器の前記一方の端部との距離が前記第１距離より短い第２距離である場合において前記通信制御手段により前記第１結合器に入力される信号の振幅よりも大きいことを特徴とする通信システム。
【請求項７】
所定方向における一方の端部から他方の端部へ信号を伝送する第１結合器と、
前記所定方向における長さが前記第１結合器よりも短い第２結合器と、
前記第１結合器と前記第２結合器との間での電磁界結合による無線通信を制御する通信制御手段と、
前記第１結合器に対する前記第２結合器の前記所定方向における位置が変化するように、前記第１結合器と前記第２結合器との少なくとも何れかを移動させる移動制御手段とを有し、
前記所定方向と垂直な方向の視点において前記第１結合器と前記第２結合器とが重なる部分と前記第１結合器の前記一方の端部との距離が第１距離である場合において前記第２結合器から出力される信号を処理するためのコンパレータの閾値が、前記垂直な方向の視点において前記第１結合器と前記第２結合器とが重なる部分と前記第１結合器の前記一方の端部との距離が前記第１距離より短い第２距離である場合において前記第２結合器から出力される信号を処理するためのコンパレータの閾値よりも小さいことを特徴とする通信システム。
【請求項８】
前記第１結合器は平板状であり、
前記所定方向は前記第１結合器の面に平行な方向であることを特徴とする請求項１乃至７の何れか１項に記載の通信システム。
【請求項９】
前記第１結合器は輪形状を成し、
前記所定方向は前記第１結合器の円周方向であることを特徴とする請求項１乃至７の何れか１項に記載の通信システム。
【請求項１０】
前記移動制御手段は、前記第１結合器と前記第２結合器との少なくとも何れかを前記所定方向に移動させることを特徴とする請求項１乃至９の何れか１項に記載の通信システム。
【請求項１１】
前記移動制御手段は、前記第１結合器に対する前記第２結合器の前記所定方向における位置と、前記第１結合器に対する前記第２結合器の前記所定方向に垂直な方向における位置とが変化するように、前記第１結合器と前記第２結合器との少なくとも何れかを移動させることを特徴とする請求項１乃至９の何れか１項に記載の通信システム。
【請求項１２】
前記通信制御手段は、前記第１結合器と前記第２結合器とを介したベースバンド方式による無線通信を制御することを特徴とする請求項１乃至１１の何れか１項に記載の通信システム。
【請求項１３】
所定方向における一方の端部から他方の端部へ信号を伝送する第１結合器と、
前記所定方向における長さが前記第１結合器よりも短い第２結合器と、を有する無線通信システムを用いて通信を行う通信方法であって、
前記第１結合器と前記第２結合器との間での電磁界結合による無線通信を制御する通信制御工程と、
前記第１結合器に対する前記第２結合器の前記所定方向における位置が変化するように、前記第１結合器と前記第２結合器との少なくとも何れかを移動させる移動制御工程とを有し、
前記所定方向と垂直な方向の視点において前記第１結合器と前記第２結合器とが重なる部分と前記第１結合器の前記一方の端部との距離が第１距離である場合における前記第１結合器と前記第２結合器との結合度が、前記垂直な方向の視点において前記第１結合器と前記第２結合器とが重なる部分と前記第１結合器の前記一方の端部との距離が前記第１距離より短い第２距離である場合における前記第１結合器と前記第２結合器との結合度よりも大きいことを特徴とする通信方法。
【請求項１４】
前記移動制御工程は、前記垂直な方向の視点において前記第１結合器と前記第２結合器とが重なる部分と前記第１結合器の前記一方の端部との距離が前記第１距離である場合における前記第１結合器と前記第２結合器との間隔が、前記垂直な方向の視点において前記第１結合器と前記第２結合器とが重なる部分と前記第１結合器の前記一方の端部との距離が前記第２距離である場合における前記第１結合器と前記第２結合器との間隔よりも短くなるように、前記第１結合器と前記第２結合器との少なくとも何れかを移動させることを特徴とする請求項１３に記載の通信方法。
【請求項１５】
前記移動制御工程は、前記垂直な方向の視点において前記第１結合器と前記第２結合器とが重なる部分と前記第１結合器の前記一方の端部との距離が前記第１距離である場合における当該重なる部分の面積が、前記垂直な方向の視点において前記第１結合器と前記第２結合器とが重なる部分と前記第１結合器の前記一方の端部との距離が前記第２距離である場合における当該重なる部分の面積よりも大きくなるように、前記第１結合器と前記第２結合器との少なくとも何れかを移動させることを特徴とする請求項１３又は１４に記載の通信方法。
【請求項１６】
前記第１結合器は、前記所定方向に並ぶ第１基板と第２基板とを有し、
前記第１基板は、前記第２基板よりも、前記所定方向において前記第１結合器の前記一方の端部から遠く、
前記第１基板の誘電率は、前記第２基板の誘電率よりも低いことを特徴とする請求項１３乃至１５の何れか１項に記載の通信方法。
【請求項１７】
所定方向における一方の端部から他方の端部へ信号を伝送する第１結合器と、
前記所定方向における長さが前記第１結合器よりも短い第２結合器と、を有する無線通信システムを用いて通信を行う通信方法であって、
前記第１結合器と前記第２結合器との間での電磁界結合による無線通信を制御する通信制御工程と、
前記第１結合器に対する前記第２結合器の前記所定方向における位置が変化するように、前記第１結合器と前記第２結合器との少なくとも何れかを移動させる移動制御工程とを有し、
前記所定方向と垂直な方向の視点において前記第１結合器と前記第２結合器とが重なる部分と前記第１結合器の前記一方の端部との距離が第１距離である場合において前記通信制御工程により前記第１結合器に入力される信号の振幅が、前記垂直な方向の視点において前記第１結合器と前記第２結合器とが重なる部分と前記第１結合器の前記一方の端部との距離が前記第１距離より短い第２距離である場合において前記通信制御工程により前記第１結合器に入力される信号の振幅よりも大きいことを特徴とする通信方法。
【請求項１８】
所定方向における一方の端部から他方の端部へ信号を伝送する第１結合器と、
前記所定方向における長さが前記第１結合器よりも短い第２結合器と、を有する無線通信システムを用いて通信を行う通信方法であって、
前記第１結合器と前記第２結合器との間での電磁界結合による無線通信を制御する通信制御工程と、
前記第１結合器に対する前記第２結合器の前記所定方向における位置が変化するように、前記第１結合器と前記第２結合器との少なくとも何れかを移動させる移動制御工程とを有し、
前記所定方向と垂直な方向の視点において前記第１結合器と前記第２結合器とが重なる部分と前記第１結合器の前記一方の端部との距離が第１距離である場合において前記第２結合器から出力される信号を処理するためのコンパレータの閾値が、前記垂直な方向の視点において前記第１結合器と前記第２結合器とが重なる部分と前記第１結合器の前記一方の端部との距離が前記第１距離より短い第２距離である場合において前記第２結合器から出力される信号を処理するためのコンパレータの閾値よりも小さいことを特徴とする通信方法。
【手続補正２】
【補正対象書類名】明細書
【補正対象項目名】０００６
【補正方法】変更
【補正の内容】
【０００６】
上記の課題を解決するため、本発明に係る無線通信システムは、例えば以下の構成を有する。すなわち、所定方向における一方の端部から他方の端部へ信号を伝送する第１結合器と、前記所定方向における長さが前記第１結合器よりも短い第２結合器と、前記第１結合器と前記第２結合器との間での電磁界結合による無線通信を制御する通信制御手段と、前記第１結合器に対する前記第２結合器の前記所定方向における位置が変化するように、前記第１結合器と前記第２結合器との少なくとも何れかを移動させる移動制御手段とを有し、前記所定方向と垂直な方向の視点において前記第１結合器と前記第２結合器とが重なる部分と前記第１結合器の前記一方の端部との距離が第１距離である場合における前記第１結合器と前記第２結合器との結合度が、前記垂直な方向の視点において前記第１結合器と前記第２結合器とが重なる部分と前記第１結合器の前記一方の端部との距離が前記第１距離より短い第２距離である場合における前記第１結合器と前記第２結合器との結合度よりも大きい。